(57)【要約】【課題】シートを断裁する際に、シートの断裁位置がずれてしまったり、シートが曲がってしまったりすることがなく、正確に断裁部分を断裁する。【解決手段】シートを構成する辺のうち断裁する辺よりも長い形状を有し、該辺を含む領域を所定の量だけ断裁するための断裁刃１１ａ，１１ｂ，２１ａ，２１ｂと、断裁刃１１ａ，１１ｂ，２１ａ，２１ｂによってシートを切断する際にシートを上方向から押さえる紙押さえ板１３，２３と、紙押さえ板１３，２３に設けられ、紙押さえ板１３，２３によってシートを押さえる際に紙押さえ板１３，２３によるシートに対する押圧力によってシートの所定の位置に谷部を形成するスジ押し刃２６とを設ける。【選択図】　　図１
2004017232.tif 000002
【特許請求の範囲】
【請求項１】
シートを断裁する断裁機であって、
前記シートを構成する辺のうち断裁する辺よりも長い形状を有する刃から構成され、該辺を含む領域を所定の量だけ断裁するための断裁手段と、
前記断裁手段によって前記シートを切断する際に前記シートを上方向から押さえる押さえ手段と、
前記押さえ手段に設けられ、該押さえ手段によって前記シートを押さえる際に前記押さえ手段による前記シートに対する押圧力によって該シートの所定の位置に谷部を形成する折り線形成手段とを有することを特徴とする断裁機。
【請求項２】
請求項１に記載の断裁機において、
前記押さえ手段によって前記シートを押さえる際に前記折り線形成手段と嵌合するように設けられた折り線形成受け手段を有することを特徴とする断裁機。
【請求項３】
請求項１または請求項２に記載の断裁機において、
前記断裁手段は、前記シートを構成する辺のうち対向する２つの辺をそれぞれ含む領域を所定の量だけ断裁する少なくとも２つの刃からなり、前記２つの刃は互いの間隔が可変となるように設けられていることを特徴とする断裁機。
【請求項４】
請求項１乃至３のいずれか１項に記載の断裁機において、
前記断裁手段は、断裁部分の形状が所定のパターンからなる形状となるように前記シートを断裁することを特徴とする断裁機。
【発明の詳細な説明】
【０００１】
【発明の属する技術分野】
本発明は、紙等のシートを断裁する断裁機に関する。
【０００２】
【従来の技術】
従来より、縁周辺に余白が存在しない印刷物においては、まず、印刷物としての大きさよりも予め決められた余白分だけ大きな用紙に所定の印刷が施され、その後、余白部分が断裁されることにより作製されている。例えば、縁周辺に余白が存在しないＡ３サイズの大きさの印刷物を作製する場合は、Ａ３ノビと呼ばれる、Ａ３サイズよりも予め決められた分だけ大きな用紙に所定の印刷が施され、その後、この用紙がＡ３サイズに断裁される。
【０００３】
また、印刷工程の後に折り曲げ加工が施される印刷物においては、印刷物を折り曲げた際に折り曲げ部分のインクが剥がれてしまうことを防止するために、折り曲げ加工が施される前に、折り曲げ部分にスジ押しと呼ばれる押圧加工が施されている。このスジ押しと呼ばれる押圧加工においては、印刷物の折り曲げ部分に押圧により谷部が形成され、この谷部が折り曲げ部分となって印刷物が折り曲げられることになる。
【０００４】
上述したように印刷物を断裁するとともにスジ押し加工を行う断裁機においては、従来より、スリッタ（回転刃）により印刷物を断裁する断裁機が用いられている。
【０００５】
スリッタにより印刷物を断裁する断裁機においては、断裁すべき印刷物の断裁部分に対して、その印刷物の一辺から対向する辺に向かってスリッタが回転しながら移動することにより断裁部分が断裁されることになる。
【０００６】
【発明が解決しようとする課題】
しかしながら、上述したようなスリッタによって印刷物を断裁する断裁機においては、断裁すべき印刷物の断裁部分に対して、その印刷物の一辺から対向する辺に向かってスリッタが回転しながら移動することにより断裁部分が断裁される構造であるため、スリッタが移動する方向に印刷物に対して力がかかり、それにより、印刷物が動いてしまい断裁位置がずれてしまったり、印刷物が折り曲がったりしてしまう虞れがある。
【０００７】
本発明は、上述したような従来の技術が有する問題点に鑑みてなされたものであって、断裁部分を正確に断裁することができる断裁機を提供することを目的とする。
【０００８】
【課題を解決するための手段】
上記目的を達成するために本発明は、
シートを断裁する断裁機であって、
前記シートを構成する辺のうち断裁する辺よりも長い形状を有する刃から構成され、該辺を含む領域を所定の量だけ断裁するための断裁手段と、
前記断裁手段によって前記シートを切断する際に前記シートを上方向から押さえる押さえ手段と、
前記押さえ手段に設けられ、該押さえ手段によって前記シートを押さえる際に前記押さえ手段による前記シートに対する押圧力によって該シートの所定の位置に谷部を形成する折り線形成手段とを有することを特徴とする。
【０００９】
また、前記押さえ手段によって前記シートを押さえる際に前記折り線形成手段と嵌合するように設けられた折り線形成受け手段を有することを特徴とする。
【００１０】
また、前記断裁手段は、前記シートを構成する辺のうち対向する２つの辺をそれぞれ含む領域を所定の量だけ断裁する少なくとも２つの刃からなり、前記２つの刃は互いの間隔が可変となるように設けられていることを特徴とする。
【００１１】
また、前記断裁手段は、断裁部分の形状が所定のパターンからなる形状となるように前記シートを断裁することを特徴とする。
【００１２】
（作用）
上記のように構成された本発明においては、断裁されるシートが供給されると、該シートが押さえ手段によって上方向から押さえられ、その状態において、シートを構成する辺のうち断裁する辺よりも長い形状を有する刃から構成された断裁手段によって、該辺を含む領域が所定の量だけ断裁される。また、この際、押さえ手段に設けられた折り線形成手段によって、断裁されるシートの所定の位置に谷部が形成され、この部分がシートの折り曲げ部分となる。
【００１３】
このように、断裁されるシートが押さえ手段によって上方向から押さえられた状態において、シートを構成する辺のうち断裁する辺よりも長い形状を有する刃から構成された断裁手段によってシートが断裁されるので、シートを断裁する際に、シートの断裁位置がずれてしまったり、シートが曲がってしまったりすることがなくなる。
【００１４】
また、断裁手段が、シートを構成する辺のうち対向する２つの辺をそれぞれ含む領域を所定の量だけ断裁する少なくとも２つの刃からなるように構成されている場合に、２つの刃を互いの間隔が可変となるように設ければ、断裁後のシートの幅を任意に設定することができる。
【００１５】
【発明の実施の形態】
以下に、本発明の実施の形態について図面を参照して説明する。
【００１６】
図１は、本発明の断裁機の実施の一形態を示す図であり、（ａ）は上面から見た場合の内部構造を示す図、（ｂ）は（ａ）に示すＸ方向から見た場合の内部構造を示す図、（ｃ）は（ａ）に示すＹ方向から見た場合の内部構造を示す図である。
【００１７】
本形態は図１に示すように、断裁されるシートが供給される側の領域１と、断裁されるシートが排出される側の領域２との２つの領域から構成されており、断裁されるシートが領域１に供給され、領域１にて断裁された後、領域２に搬送され、領域２にて断裁されるとともに折り曲げ部分となる折り線にスジ押し加工が施され、その後、領域２から排出される。
【００１８】
ここで、領域１には、被断裁物であるシートを構成する４辺のうち、折り線に対して垂直方向となる２辺よりも長い形状を有し、該２辺を含む領域を所定の量だけ断裁するための断裁手段である断裁刃１１ａ，１１ｂと、断裁刃１１ａ，１１ｂによってシートを切断する際にシートを上方向から押さえる押さえ手段である紙押さえ板１３と、断裁刃１１ａ，１１ｂ及び紙押さえ板１３を上下移動させるための上下機構１２と、断裁刃１１ａ，１１ｂの受け刃（不図示）を有し、断裁されるシートが搭載されるシート受け台１４とが設けられており、紙押さえ板１３は、ばね１５を介して上下機構１２に装着されている。また、断裁刃１１ａ，１１ｂは、ねじ等の断裁幅調節機構１８によって上下機構１２に取り付けられており、この断裁幅調節機構１８によって断裁刃１１ａと断裁刃１１ｂとの間隔が調整可能となっており、それにより、シートの断裁幅が調節されることになる。また、シート受け台１４においても、断裁幅調節機構１８に対応して機能する断裁幅調節機構（不図示）が設けられている。
【００１９】
また、領域２には、被断裁物であるシートを構成する４辺のうち、折り線と平行方向となる２辺よりも長い形状を有し、該２辺を含む領域を所定の量だけ断裁するための断裁手段である断裁刃２１ａ，２１ｂと、断裁刃２１ａ，２１ｂによってシートを切断する際にシートを上方向から押さえる押さえ手段である紙押さえ板２３と、断裁刃２１ａ，２１ｂ及び紙押さえ板２３を上下移動させるための上下機構２２と、断裁刃２１ａ，２１ｂの受け刃（不図示）を有し、断裁されるシートが搭載されるシート受け台２４とが設けられており、紙押さえ板２３は、ばね２５を介して上下機構２２に装着されている。また、断裁刃２１ａ，２１ｂは、ねじ等の断裁幅調節機構２８によって上下機構２２に取り付けられており、この断裁幅調節機構２８によって断裁刃２１ａと断裁刃２１ｂとの間隔が調整可能となっており、それにより、シートの断裁幅が調節されることになる。また、シート受け台２４においても、断裁幅調節機構２８に対応して機能する断裁幅調節機構（不図示）が設けられている。また、紙押さえ板２３には、シートの折り曲げ部分に折り線に沿ってスジ状の谷部を形成するための折り線形成手段であるスジ押し刃２６が設けられており、また、紙押さえ板２３と対向する領域には、紙押さえ板２３が上下機構２２によってシートと接する状態に移動した際に、スジ押し刃２６と嵌合するようにスジ状に形成された折り線形成受け手段である刃受け部２７が設けられている。
【００２０】
以下に、上記のように構成された断裁機の動作について説明する。
【００２１】
まず、図１に示した断裁機の領域１における動作について説明する。
【００２２】
図２は、図１に示した断裁機の領域１における動作を説明するための図であり、（ａ）はシートが断裁領域にない場合の状態を示す図、（ｂ）はシートが断裁領域に位置し紙押さえ板１３によって押さえつけられる状態を示す図、（ｃ）はシートが断裁刃１１ａ，１１ｂによって断裁される状態を示す図、（ｄ）は断裁刃１１ａ，１１ｂがシートを断裁した後にシートから離間した状態を示す図である。
【００２３】
被断裁物であるシート１が断裁領域にない場合は、図２（ａ）に示すように、上下機構１２の動作によって、断裁刃１１ａ，１１ｂ及び紙押さえ板１３はシート１が搬送されてくる領域に対して所定の間隔を有して離間している状態となっている。
【００２４】
給紙口（不図示）からシート１が供給され、シート１が搬送手段（不図示）によって断裁領域に搬送されてくると、上下機構１２が下方向すなわちシート１に向かう方向に移動し、まず、図２（ｂ）に示すように、紙押さえ板１３がシート１と接し、シート１を上方向から押さえつけるような状態となる。なお、この状態では、シート１は停止状態となっている。
【００２５】
その後、さらに上下機構１２が下方向に移動し、図２（ｃ）に示すように、シート１の断裁部分が断裁刃１１ａ，１１ｂによって断裁される。ここで、上下機構１２は、ばね１５を介して紙押さえ板１３を装着しているため、紙押さえ板１３がシート１に接した状態においてもさらに下方向に移動することができ、それにより、断裁刃１１ａ，１１ｂをシート１に接触させ、シート１を断裁することができる。
【００２６】
その後、上下機構１２が上方向に移動することにより、図２（ｄ）に示すように、断裁刃１１ａ，１１ｂがシート１から離間する。
【００２７】
領域１にて断裁されたシート１は、搬送手段によって領域２に搬送されていく。
【００２８】
次に、図１に示した断裁機の領域２における動作について説明する。
【００２９】
図３は、図１に示した断裁機の領域２における動作を説明するための図であり、（ａ）はシートが断裁領域にない場合の状態を示す図、（ｂ）はシートが断裁領域に位置し紙押さえ板２３によって押さえつけられる状態を示す図、（ｃ）はシートが断裁刃２１ａ，２１ｂによって断裁される状態を示す図、（ｄ）は断裁刃２１ａ，２１ｂがシートを断裁した後にシートから離間した状態を示す図である。
【００３０】
被断裁物であるシート１が断裁領域にない場合は、図３（ａ）に示すように、上下機構２２の動作によって、断裁刃２１ａ，２１ｂ及び紙押さえ板２３はシート１が搬送されてくる領域に対して所定の間隔を有して離間している状態となっている。
【００３１】
領域１から搬送されたシート１が断裁領域に搬送されてくると、上下機構２２が下方向すなわちシート１に向かう方向に移動し、まず、図３（ｂ）に示すように、紙押さえ板２３がシート１と接し、シート１を上方向から押さえつけるような状態となる。なお、この状態では、シート１は停止状態となっている。
【００３２】
その後、さらに上下機構２２が下方向に移動し、図３（ｃ）に示すように、シート１の断裁部分が断裁刃２１ａ，２１ｂによって断裁される。ここで、上下機構２２は、ばね２５を介して紙押さえ板２３を装着しているため、紙押さえ板２３がシート１に接した状態においてもさらに下方向に移動することができ、それにより、断裁刃２１ａ，２１ｂをシート１に接触させ、シート１を断裁することができる。また、この際、紙押さえ板２３に設けられたスジ押し刃２６が、断裁領域に設けられた刃受け部２７と嵌合するように作用するため、シート１の、スジ押し刃２６と刃受け部２７とに挟まれた領域にスジ状の谷部が形成されることになる。この谷部がシート１の折り線となる。
【００３３】
その後、上下機構２２が上方向に移動することにより、図３（ｄ）に示すように、断裁刃２１ａ，２１ｂがシート１から離間する。
【００３４】
領域２にて断裁されるとともに、折り曲げ部分に谷部が形成されたシート１は、搬送手段によって排紙口（不図示）に搬送されていき、排紙口から排紙される。
【００３５】
ここで、断裁刃１１ａ，１１ｂ，２１ａ，２１ｂによるシート１の断裁形状は直線のみに限らない。
【００３６】
図４は、図１に示した断裁機にて断裁されたシートの一例を示す図である。
【００３７】
図４に示すように本例においては、紙押さえ板２３に設けられたスジ押し刃２６によって、折り曲げ部分にスジ状の谷部２が形成されているとともに、シート１を構成する４辺がそれぞれジグザグ形状になるように断裁されている。
【００３８】
また、その他にもシート１の断裁形状としては、波形状等のような所定のパターンを有するものや、曲線のみで形成される形状や、直線と曲線との組み合わせで形成される形状等が考えられる。
【００３９】
【発明の効果】
以上説明したように本発明においては、シートを断裁する断裁機であって、シートを構成する辺のうち断裁する辺よりも長い形状を有する刃から構成され、該辺を含む領域を所定の量だけ断裁するための断裁手段と、断裁手段によってシートを切断する際にシートを上方向から押さえる押さえ手段と、押さえ手段に設けられ、押さえ手段によってシートを押さえる際に押さえ手段によるシートに対する押圧力によってシートの所定の位置に谷部を形成する折り線形成手段とを設けたため、シートを断裁する際に、シートの断裁位置がずれてしまったり、シートが曲がってしまったりすることがなく、正確に断裁部分を断裁することができる。
【００４０】
また、断裁手段を、シートを構成する辺のうち対向する２つの辺をそれぞれ含む領域を所定の量だけ断裁する少なくとも２つの刃から構成し、さらに、この２つの刃を互いの間隔が可変となるように設けたものにおいては、断裁後のシートの幅を任意に設定することができる。
【図面の簡単な説明】
【図１】本発明の断裁機の実施の一形態を示す図であり、（ａ）は上面から見た場合の内部構造を示す図、（ｂ）は（ａ）に示すＸ方向から見た場合の内部構造を示す図、（ｃ）は（ａ）に示すＹ方向から見た場合の内部構造を示す図である。
【図２】図１に示した断裁機の動作を説明するための図であり、（ａ）はシートが断裁領域にない場合の状態を示す図、（ｂ）はシートが断裁領域に位置し紙押さえ板によって押さえつけられる状態を示す図、（ｃ）はシートが断裁刃によって断裁される状態を示す図、（ｄ）は断裁刃がシートを断裁した後にシートから離間した状態を示す図である。
【図３】図１に示した断裁機の動作を説明するための図であり、（ａ）はシートが断裁領域にない場合の状態を示す図、（ｂ）はシートが断裁領域に位置し紙押さえ板によって押さえつけられる状態を示す図、（ｃ）はシートが断裁刃によって断裁される状態を示す図、（ｄ）は断裁刃がシートを断裁した後にシートから離間した状態を示す図である。
【図４】図１に示した断裁機にて断裁されたシートの一例を示す図である。
【符号の説明】
１　　シート
２　　谷部
１０，２０　　領域
１１ａ，１１ｂ，２１ａ，２１ｂ　　断裁刃
１２，２２　　上下機構
１３，２３　　紙押さえ板
１４，２４　　シート受け台
１５，２５　　ばね
１８，２８　　断裁幅調節機構
２６　　スジ押し刃
２７　　刃受け部
【図１】
2004017232.tif 000003
【図２】
2004017232.tif 000004
【図３】
2004017232.tif 000005
【図４】
2004017232.tif 000006